【手続補正書】
【提出日】平成18年4月3日(2006.4.3)
【手続補正１】
【補正対象書類名】明細書
【補正対象項目名】全文
【補正方法】変更
【補正の内容】
【書類名】          明細書
【発明の名称】      照明制御装置
【特許請求の範囲】
【請求項１】  天空の明るさを検知する昼光センサと、
昼光センサで検知された天空の明るさに従い高圧放電ランプを含む複数の照明負荷を調光し、照明負荷の調光レベルが切り換わったときに、少なくとも高圧放電ランプの放射光束が安定するまでの一定時間内は、他の調光レベルへの移行を禁止させる制御手段と
を具備したことを特徴とする照明制御装置。
【請求項２】  天空の明るさを検知する昼光センサと、
昼光センサで検知された天空の明るさに従い高圧放電ランプを含む複数の照明負荷を調光し、照明負荷の調光レベルを切り換えた後、一定時間内は昼光センサからの信号を無視する制御手段と
を具備したことを特徴とする照明制御装置。
【請求項３】  制御手段を有する主操作盤と、
この主操作盤に接続された伝送線と、
この伝送線を介して主操作盤に接続されそれぞれ照明負荷が接続された複数の端末機と
を具備したことを特徴とする請求項１または２記載の照明制御装置。
【発明の詳細な説明】
【０００１】
【発明の属する技術分野】
本発明は、天空の明るさを検知する昼光センサにより照明負荷を調光する照明制御装置に関する。
【０００２】
【従来の技術】
従来、この種の照明制御装置としては、たとえば特公平４−４７９５５号公報に記載の構成が知られている。この特公平４−４７９５５号公報記載の照明制御装置は、光センサで検出された明るさに従い照明負荷の明るさを調光して、省電力を図っている。
【０００３】
【発明が解決しようとする課題】
しかしながら、上述のように光センサで検出された明るさに従い照明負荷を調光するものでは、たとえば体育館に配置した場合、競技種目あるいは競技レベル、さらには、昼光の入射程度に合わせて、手動で間引き点灯させなければならず、操作が煩雑になる問題を有している。
【０００４】
本発明は、上記問題点に鑑みなされたもので、操作を煩雑にすることなく適切に照明できる照明制御装置を提供することを目的とする。
【０００５】
【課題を解決するための手段】
請求項１記載の照明制御装置は、天空の明るさを検知する昼光センサと、昼光センサで検知された天空の明るさに従い高圧放電ランプを含む複数の照明負荷を調光し、照明負荷の調光レベルが切り換わったときに、少なくとも高圧放電ランプの放射光束が安定するまでの一定時間内は、他の調光レベルへの移行を禁止させる制御手段とを具備したもので、昼光センサで検知された天空の明るさに従い制御手段は高圧放電ランプを含む複数の照明負荷を調光するため、煩雑な操作をすることなく天空の明るさに従い適切に照明するとともに、制御手段によって照明負荷の調光レベルが切り換わったときに、少なくとも高圧放電ランプの放射光束が安定するまでの一定時間内は、他の調光レベルへの移行が禁止されるように構成されているので、高圧放電ランプは放射光束が安定するまで時間がかかるため、この放射光束が安定するまでの一定時間は他の調光レベルへの移行を禁止して、たとえば高圧放電ランプのちらつきあるいは立ち消えなどを防止する。
【０００６】
請求項２記載の照明制御装置は、天空の明るさを検知する昼光センサと、昼光センサで検知された天空の明るさに従い高圧放電ランプを含む複数の照明負荷を調光し、照明負荷の調光レベルを切り換えた後、一定時間内は昼光センサからの信号を無視する制御手段とを具備したもので、昼光センサで検知された天空の明るさに従い制御手段は高圧放電ランプを含む複数の照明負荷を調光するため、煩雑な操作をすることなく天空の明るさに従い適切に照明するとともに、制御手段は、照明負荷の調光レベルを切り換えた後、一定時間内は昼光センサからの信号を無視するように構成されているので、照明負荷の調光レベルを切り換えた後は所定時間放射光束が安定しないため、この安定しない一定時間は昼光センサからの信号を無視して照明負荷の明るさを正確に制御する。
【０００７】
請求項３記載の照明制御装置は、請求項１または２記載の照明制御装置において、制御手段を有する主操作盤と、この主操作盤に接続された伝送線と、この伝送線を介して主操作盤に接続されそれぞれ照明負荷が接続された複数の端末機とを具備したもので、それぞれの作用を奏する。
【０００８】
【発明の実施の形態】
以下、本発明の照明装置の一実施の形態を図面を参照して説明する。
【０００９】
図１は照明装置を示す構成図で、この照明装置はたとえば体育館に用いられ、主操作盤１に伝送線２を介して複数の端末機３１，３２，…，３ｎが接続され、これら各端末機３１，３２，……，３ｎには高圧放電ランプが取り付けられる単数または複数の照明負荷４が接続され、さらに、主操作盤１には複数の昼光センサ５１，５２，……，５ｍが接続されている。なお、昼光センサ５１，５２，……，５ｍは複数に限らず、単数であっても良い。
【００１０】
図２は照明装置の主操作盤を示す構成図で、主操作盤１は制御手段としてのプロセッサ10を有し、各昼光センサ５１，５２，……，５ｍからの出力を受け図示しないタイマ回路を有する入力回路11、この入力回路11からの信号を入力するマルチプレクサ12、ＡＤコンバータ13、入力バッファ14を介してプロセッサ10に接続され、また、プロセッサ10は入出力バッファ15を介して伝送線２に接続される。また、プロセッサ10は、５０％、７０％、８５％および１００％の４段階で調光レベルを切り換える。さらに、プロセッサ10は、省電力のために競技種目、競技レベルに合わせたパターン点灯を記憶するとともに、それぞれの場合の天空の明るさに従った調光度合いも記憶する。
【００１１】
次に、上記実施の形態の動作について説明する。
【００１２】
まず、主操作盤１はプロセッサ10の働きにより各端末機３１，３２，…，３ｎに接続された照明負荷４を点灯、消灯および調光制御する。
【００１３】
また、各昼光センサ５１，５２，……，５ｍからの出力は入力回路11で増幅されマルチプレクサ12に入力される。なお、マルチプレクサ12にはコード切換信号が順次選択されてＡＤコンバータ13に入力される。また、ＡＤコンバータ13は昼光センサ５１，５２，……，５ｍの出力を順次デジタル値に変換し、入力バッファ14を介してプロセッサ10に入力する。この入力バッファ14では、所定時間各昼光センサ５１，５２，……，５ｍからの信号を蓄積して積分して出力する。このように、各昼光センサ５１，５２，……，５ｍからの信号を蓄積することにより、たとえば鳥の飛来などの一次的な一部分の影に反応して、照明負荷４が明るくなることを防止する。
【００１４】
さらに、プロセッサ10はある１つの各昼光センサ５１，５２，……，５ｍからの出力が入力されたとき、各昼光センサ５１，５２，……，５ｍから天空の明るさに基づき、プロセッサ10は、明るさに対応して設定されている調光レベルに合わせて５０％、７０％、８５％および１００％の４段階で調光レベルを切り換える。なお、たとえば１００％から７０％あるいは５０％に調光レベルを設定する際には、順次隣り合う１００％、８５％、７０％、５０％というように、徐々に調光レベルを変化させる。反対に、調光レベルを上昇する場合にも同様である。このように、徐々に明るさを変化させることにより、曇りから晴れに徐々に変わったり、晴れから曇りに徐々に変わった場合には、ある受光レベルを越えた瞬間で、照明が急に暗くなってしまうなどの、急激な照明変化を抑えられる。
【００１５】
また、プロセッサ10によって照明負荷４の調光レベルが切り換わったときに、少なくとも高圧放電ランプの放射光束が安定するまでの一定時間内は、入力回路11内のタイマ回路により他の調光レベルへの移行が禁止される。すなわち、図３に示すように、たとえば高圧放電ランプに高圧ナトリウムランプを用いると照明負荷４の調光レベルを切り換えた後の所定時間Ｔ1 では放射光束が安定しないため、この安定しない一定時間は昼光センサ５１，５２，……，５ｍからの信号を無視して安定していない状態の照明負荷４の影響による周囲の明るさを検知せず照明負荷４の明るさを正確に制御する。
【００１６】
さらに、照明負荷４の調光レベルを切り換えた後の一定時間Ｔ1 内は、入力回路11内のタイマ回路により昼光センサ５１，５２，……，５ｍからの信号を無視する。この場合にも、図３に示すように、照明負荷４の調光レベルを切り換えた後は所定時間Ｔ1 では放射光束が安定しないため、この安定しない一定時間は昼光センサ５１，５２，……，５ｍからの信号を無視して安定していない状態の照明負荷４の影響による周囲の明るさを検知せず照明負荷４の明るさを正確に制御する。また、図４に示すように、高圧放電ランプは調光制御後電圧が高くなりランプ電圧が安定するまで所定時間Ｔ2 程度かかるため、このランプ電圧が安定するまでの一定時間Ｔ2 に再び調光制御するとランプ電圧がより高くなってたとえば高圧放電ランプにちらつきが生じたり、たとえば高圧放電ランプに水銀ランプを用いると立ち消えすることがあるので、これらちらつきあるいは立ち消えを防止する。
【００１７】
なお、各昼光センサ５１，５２，……，５ｍは各端末機３に対応して設けてもよく、複数の端末機３を含むグループごとに設けてもよい。
【００１８】
【発明の効果】
請求項１記載の照明制御装置によれば、昼光センサで検知された天空の明るさに従い制御手段は高圧放電ランプを含む複数の照明負荷を調光するため、煩雑な操作をすることなく天空の明るさに従い適切に照明できるとともに、高圧放電ランプは放射光束が安定するまで時間がかかるため、この放射光束が安定するまでの一定時間は他の調光レベルへの移行を禁止して、たとえば高圧放電ランプのちらつきあるいは立ち消えなどを防止できる。
【００１９】
請求項２記載の照明制御装置によれば、昼光センサで検知された天空の明るさに従い制御手段は高圧放電ランプを含む複数の照明負荷を調光するため、煩雑な操作をすることなく天空の明るさに従い適切に照明できるとともに、照明負荷の調光レベルを切り換えた後は所定時間放射光束が安定しないため、この安定しない一定時間は昼光センサからの信号を無視して照明負荷の明るさを正確に制御できる。
【００２０】
請求項３記載の照明制御装置によれば、請求項１または２記載の照明制御装置に加え、それぞれの効果を奏することができる。
【図面の簡単な説明】
【図１】
本発明の照明装置の一実施の形態を示す構成図である。
【図２】
同上照明装置の主操作盤を示す構成図である。
【図３】
同上放射光束の変化を示すグラフである。
【図４】
同上ランプ電圧の変化を示すグラフである。
【符号の説明】
１    主操作盤
２    伝送線
３１，３２，……，３ｎ    端末機
４    照明負荷
５１，５２，……，５ｍ    昼光センサ
10    制御手段としてのプロセッサ